(57)【特許請求の範囲】
【請求項１】
光学部材を収容し、その外周面に２以上の突起が設けられる鏡筒と、
前記鏡筒の外周側に同心的に設けられるとともに、前記突起各々が係合される２以上のガイド溝が内周面に形成され、前記光学部材に入射する光の一部を遮光するための遮光部材を有する遮光環とを備え、
前記各突起が前記各ガイド溝に沿って移動することにより、前記遮光環が前記鏡筒に対して相対的に移動可能であり、前記各ガイド溝内には、前記ガイド溝からさらに径方向外側に窪む凹陥部が設けられ、
前記突起が前記ガイド溝に係合させられるとき、前記遮光環は前記突起により径方向内側から外側に向けて押圧され、前記遮光環の前記突起間の部分が径方向内側に撓むように変形し、その突起間の部分が、前記鏡筒に近接することにより、前記突起が前記ガイド溝から離脱するのを防止するとともに、
前記突起が前記凹陥部内に係合させられると、前記突起から前記遮光環への押圧力が弱められ、前記遮光環がクリックストップさせられることを特徴とする遮光装置。
【請求項２】
前記鏡筒の中心軸から前記突起の先端部までの第１距離が、前記中心軸から前記凹陥部の先端部までの第２距離、及び前記中心軸から前記ガイド溝の先端部までの第３距離より大きいことを特徴とする請求項１に記載の遮光装置。
【請求項３】
前記第２距離は、第３距離より大きいことを特徴とする請求項２に記載の遮光装置。
【請求項４】
前記凹陥部の内周面、前記ガイド溝の内周面、及び前記突起の外周面は、曲面から成ることを特徴とする請求項１に記載の遮光装置。
【請求項５】
前記凹陥部の内周面、前記ガイド溝の内周面、及び前記突起の外周面は、それぞれ曲率曲面から成り、前記突起の外周面の曲率半径は、前記凹陥部の内周面の曲率半径より大きく、前記ガイド溝の内周面の曲率半径より小さいことを特徴とする請求項４に記載の遮光装置。
【請求項６】
前記突起の外周面が凸状球面から成り、前記凹陥部の内周面が凹状球面から成るとともに、前記ガイド溝の内周面は、円周角が１０°以上１８０°以下の弧形状を呈することを特徴とする請求項５に記載の遮光装置。
【請求項７】
前記各ガイド溝は、少なくとも、前記鏡筒の中心軸に平行に直線的に延びる直線溝、前記遮光環の周方向に延びる円周溝、または前記中心軸に対して斜め方向へ螺旋状に延びる螺旋溝を備えることを特徴とする請求項１に記載の遮光装置。
【請求項８】
前記各ガイド溝は、前記直線溝と、前記直線溝に接続される前記螺旋溝を備えることを特徴とする請求項７に記載の遮光装置。
【請求項９】
前記ガイド溝は、前記突起を前記遮光環の一方の開口部から前記凹陥部内に導入するためのテーパー溝を含み、前記テーパー溝の先端部から前記鏡筒の中心軸までの距離が前記開口側から凹陥部に向けて漸次小さくなることを特徴とする請求項１に記載の遮光装置。
【請求項１０】
外周面に２以上の突起が設けられている円筒に装着される遮光装置であって、
前記円筒の外周側に同心的に設けられるとともに、前記突起各々が係合される２以上のガイド溝が内周面に形成され、前記円筒へ入射する光の一部を遮光するための遮光部材を有する遮光環を備え、
前記各突起が前記各ガイド溝に沿って移動することにより、前記遮光環が前記円筒に対して相対的に移動可能であり、前記各ガイド溝内には、前記ガイド溝からさらに径方向外側に窪む凹陥部が設けられる一方、
前記突起が前記ガイド溝に係合させられるとき、前記遮光環は前記突起により径方向内側から外側へ向けて押圧され、前記遮光環の前記突起間の部分が径方向内側に撓むように変形し、その突起間の部分が、前記円筒に近接することにより、前記突起が前記ガイド溝から離脱するのを防止するとともに、
前記突起が前記凹陥部内に係合させられると、前記突起から前記遮光環への押圧力が弱められ、前記遮光環がクリックストップさせられることを特徴とする遮光装置。
【発明の詳細な説明】
【技術分野】
【０００１】
本発明は、双眼鏡、単眼鏡、ビデオカメラのファインダ、カメラ等の光学装置に適用可能な目当てやフード等の遮光装置に関する。
【背景技術】
【０００２】
光学機器、例えば双眼鏡の接眼レンズは、接眼レンズ鏡筒に保持され、その接眼レンズ鏡筒の外周面には、遮光装置としての目当てが設けられる場合がある。目当ては、観察者の瞳の位置を光学観察装置のアイポイントに一致させることおよび不要光を遮光することを目的として、光軸と平行にスライド移動可能である。
【０００３】
例えば、裸眼の観察者が双眼鏡を用いる場合、目当ては接眼側に引き出される一方、眼鏡を着用した観察者が使用する場合、目当ては対物側に収納され、これにより、観察者が眼鏡を着用している場合も、裸眼である場合も、観察者の瞳の位置と双眼鏡のアイポイントは一致させられる。
【０００４】
目当ては、例えば、特許文献１に記載されるように、目当て環の内周面に螺旋状に延びる螺旋溝が設けられる一方、接眼レンズ鏡筒に螺旋溝に係合するネジが設けられ、このネジが溝に沿って移動することにより、周方向に回転しつつ、光軸と平行にスライド移動させられる。
【０００５】
また、例えば、特許文献２、３に記載されるように、接眼レンズ鏡筒に光軸と平行な溝が設けられる一方、目当て環には突起が設けられ、この突起が溝に沿って移動することにより、目当て装置は光軸と平行に直線的にスライドされる。
【特許文献１】特開２００３‐００５０９２号公報
【特許文献２】特開平８−１９４１６９号公報
【特許文献３】実開平８−０００８９２号公報
【発明の開示】
【発明が解決しようとする課題】
【０００６】
上記目当てにおいては、裸眼または眼鏡を装着した観察者の瞳とアイポイントの位置を一致させるために、所定の位置でクリックストップさせられることが知られている。しかし、上記文献に記載される目当てにおいては、クリックストップさせられる際、バネやボール等が使用され、部品点数が増加してしまうという問題がある。
【０００７】
また、上記文献の目当てにおいては、目当て環が、回転移動または直線移動のいずれか一方の方法により、スライドされて光軸に平行に移動させられるが、このように一方の方法でしか移動できないとすると、使い勝手が良くないという問題点がある。例えば、直線移動の構成だと、移動範囲の中間位置での停止動作しづらく、操作性の面で不利である。また目当てを回転させる回転移動の構成だと、中間位置での停止は容易であるが、構造が複雑化し、小型化が難しい。
【０００８】
さらに、カメラの撮影レンズ鏡筒先端部に設けられるフードもまた、未使用時は移動させるか取り外して、撮影レンズの全長を短くしたいという要望があり、機構上、上記目当てと同様の問題点がある。
【０００９】
そこで、本願発明においては、これら問題点に鑑みて成されたものであり、部品点数が少なく、かつ回転移動及び直線移動のいずれの方法によっても移動可能な遮光装置を提供することを目的とする。
【課題を解決するための手段】
【００１０】
本発明に係る遮光装置は、光学部材を収容し、その外周面に２以上の突起が設けられる鏡筒と、鏡筒の外周側に同心的に設けられるとともに、突起各々が係合される２以上のガイド溝が内周面に形成され、光学部材に入射する光の一部を遮光するための遮光部材を有する遮光環とを備え、各突起が各ガイド溝に沿って移動することにより、遮光環が鏡筒に対して相対的に移動可能であり、各ガイド溝内には、ガイド溝からさらに窪む凹陥部が設けられる遮光装置である。そして、突起がガイド溝に係合させられるとき、遮光環は突起により径方向内側から外側に向けて押圧され、遮光環の突起間の部分が径方向内側に撓むように変形し、その突起間の部分が、鏡筒に近接することにより、突起がガイド溝から離脱するのを防止する。それに対して、突起が凹陥部内に係合させられると、突起から遮光環への押圧力が所定量弱められ、遮光環がクリックストップさせられることを特徴とする。なお、本発明における光学部材は例えばレンズである。
【００１１】
以上の構成により、本発明に係る遮光装置において、突起がガイド溝から離脱しようとすると、遮光環の突起間の部分が鏡筒に当接し、鏡筒を締め付けるので、鏡筒から遮光環が離脱するのを防止する。したがって、本発明においては、各ガイド溝の延びる方向を適宜設定することができ、例えば、光軸に平行に直線的に延びる直線溝にすることができる。また、光軸に対して斜め方向へ螺旋状に延びる螺旋溝にすることも可能である。さらに、遮光環の周方向に延びる円周溝にすることも可能である。また、直線溝と、直線溝から分岐して斜め方向へ延びる螺旋溝から構成することも可能である。
【００１２】
なお、本発明において遮光部材とは、例えば双眼鏡等の光学機器の目当て装置や、カメラの撮影レンズ鏡筒の先端に設けられるレンズフード等である。
【００１３】
レンズの光軸から突起の先端部までの第１距離が、光軸から凹陥部の先端部までの第２距離、及び光軸からガイド溝の先端部までの第３距離より大きいことが好ましい。第２距離は、第３距離より大きいことがさらに好ましい。
【００１４】
凹陥部の内周面、ガイド溝の内周面、及び突起の外周面は、曲面から成ることが好ましい。このように、内周面及び外周面を曲面で形成すると、突起がガイド溝内において、スムーズに移動することができる。
【００１５】
凹陥部の内周面、ガイド溝の内周面、及び突起の外周面は、それぞれ例えば曲率曲面から成る。そして、突起の外周面の曲率半径は、ガイド溝の内周面の曲率半径より小さいことが好ましい。曲率半径をこのように設定すると、突起の先端部の一点のみがガイド溝の溝先端部に接することにより、突起がガイド溝に係合するので、突起はガイド溝内をよりスムーズに移動することができる。
【００１６】
また、突起の外周面の曲率半径は、凹陥部の内周面の曲率半径より大きいことが好ましい。曲率半径をこのように設定すると、突起が凹陥部に係合するとき、突起の先端部は、凹陥部の内周面に接することはできないが、突起の側周面が、凹陥部の内周面の側周面に線接触により当接する。したがって、突起は、凹陥部により安定的に支持されるので、クリックストップを確実に行なうことができる。
【００１７】
例えば、突起の外周面は凸状球面から成り、凹陥部の内周面は凹状球面から成るとともに、ガイド溝の内周面は、円周角が１０°以上１８０°以下の弧形状を呈する。
【００１８】
ガイド溝は、突起を遮光環の一方の開口部から凹陥部内に導入するためのテーパー溝を含んでいたほうが良く、テーパー溝の先端部からレンズの光軸までの距離は、例えば開口側から凹陥部に向けて漸次小さくなる。
【００１９】
本発明に係る遮光装置は、外周面に２以上の突起が設けられている円筒に装着される遮光装置であって、円筒の外周側に同心的に設けられるとともに、突起各々が係合される２以上のガイド溝が内周面に形成され、円筒へ入射する光の一部を遮光するための遮光部材を有する遮光環を備え、各突起が各ガイド溝に沿って移動することにより、遮光環が円筒に対して相対的に移動可能であり、各ガイド溝内には、ガイド溝からさらに窪む凹陥部が設けられる一方、突起がガイド溝に係合させられるとき、遮光環は突起により径方向内側から外側へ向けて押圧され、遮光環の突起間の部分が径方向内側に撓むように変形し、その突起間の部分が、円筒に近接することにより、突起がガイド溝から離脱するのを防止するとともに、突起が凹陥部内に係合させられると、突起から遮光環への押圧力が弱められ、遮光環がクリックストップさせられることを特徴とする。
【発明の効果】
【００２０】
本発明に係る遮光装置において、突起がスライド溝から離脱しようとすると、遮光環の突起間の部分が鏡筒に当接し、鏡筒を締め付けるので、鏡筒から遮光環が離脱するのを防止する。したがって、スライド溝の延びる方向を適宜選択することができ、例えば回転移動及び直線移動のいずれの方法によっても遮光環がスライド可能な目当て装置を提供することができる。
【発明を実施するための最良の形態】
【００２１】
以下、本発明に係る実施形態について、図面を参照して説明する。図１、２は、本実施形態の遮光装置が適用された双眼鏡の斜視図である。図１、２に示すように、双眼鏡１０は、１対の対物光学系１１の光軸に対して、一対の接眼部１２の光軸が所定量偏心配置された、左右対称の１対の望遠光学系より構成される。各対物光学系１１と接眼部１２の間には、プリズム（不図示）が設けられ、これらプリズムにより、各対物光学系１１の光軸がそれぞれ偏心させられている。接眼部１２には、遮光装置として目当て装置２０が設けられ、目当て装置２０は接眼部１２において、相対的に光軸に対して平行にスライド可能である。
【００２２】
図３は、一方の接眼部１２の断面図を示す。接眼部１２は、接眼側に設けられた第１の接眼レンズ群２１と、対物側に設けられた第２の接眼レンズ群２２を備える。第１及び第２のレンズ群２１、２２は、それぞれ、第１及び第２のレンズ枠２３、２４に保持される。なお、図３において、簡略化のために、第１および第２接眼レンズ群２１、２２はそれぞれ単一の光学部材として図示している。
【００２３】
第１及び第２のレンズ枠２３、２４の外周側には、それぞれ第１及び第２の接眼レンズ鏡筒２５、２６が設けられる。第１の接眼レンズ鏡筒２５は、接眼側の端部の内周面、及び対物側の端部の外周面それぞれにネジ部３０、３１が設けられる。第２の接眼レンズ鏡筒２６の接眼側の内周面にも、同様に、ネジ部３２が設けられ、このネジ部３２は、第１の接眼レンズ鏡筒２５の対物側に設けられたネジ部３１に螺合され、これにより第１及び第２の接眼レンズ鏡筒２５、２６が接続される。また、ネジ部３１、３２が螺合されるとき、第２のレンズ枠２４に設けられる係止部３３が、第１及び第２の接眼レンズ鏡筒２５、２６の間に挟持され、これにより第２のレンズ枠２４は、第１及び第２の接眼レンズ鏡筒２５、２６に固定される。
【００２４】
第１のレンズ枠２３は、その外周面にネジ部３５が設けられ、このネジ部３５は、第１の接眼レンズ鏡筒２５の接眼側に設けられたネジ部３０に螺合され、これにより第１のレンズ枠２３は第１の接眼レンズ鏡筒２５に固定される。
【００２５】
本実施形態における目当て装置２０は、上述の第１の接眼レンズ鏡筒２５と、目当て環（遮光環）３６により構成される。第１の接眼レンズ鏡筒２５と、目当て環３６は、第１及び第２の接眼レンズ群２１、２２の光軸Ｘを中心に同心的に設けられ、目当て環３６は、第１の接眼レンズ鏡筒２５の外周面に嵌挿されて設けられる。目当て環３６の外周面にはさらに、ゴム等の弾性部材から成る目当てゴム部３７が嵌められている。目当て環３６の一部は目当てゴム部３７とともに、第１の接眼レンズ群に入射される光のうち不要光を遮光する遮光部材としての機能を有する。なお、第１の接眼レンズ鏡筒２５及び目当て環３６は、例えば合成樹脂より形成され、目当て環３６は、弾性変形することが可能である。
【００２６】
図４は、本実施形態に係る目当て装置の分解斜視図である。図４に示すように、第１の接眼レンズ鏡筒２５には３つの突起４０が設けられる一方、目当て環３６の内周面には、３つのガイド溝４１が設けられ、各ガイド溝４１に、各突起４０がそれぞれ係合され、これにより目当て環３６は第１の接眼レンズ鏡筒２５に対して光軸Ｘ方向にスライド可能に嵌挿される。
【００２７】
各ガイド溝４１には、ガイド溝４１からさらに窪んだ複数の凹陥部４５Ａ乃至４５Ｄが設けられる。突起４０が凹陥部４５Ａ乃至４５Ｄのいずれかに係合すると、目当て環３５は、クリックストップさせられる。
【００２８】
ガイド溝４１は、光軸Ｘと平行に延びるとともに、一方の端部が接眼側の開口４１Ａに接続される直線溝４２と、その直線溝４２の略中央部において、直線溝４２から分岐する螺旋スライド溝４３から成る。螺旋スライド溝４３は、一方の開口４１Ａから他方の開口４１Ｂに向かって、光軸Ｘに対して斜め方向に螺旋に延びる。
【００２９】
直線溝４２内における、螺旋スライド溝４３との分岐位置及び対物側の端部それぞれには、その直線溝４２からさらに窪んで設けられる凹陥部４５Ａ、４５Ｂが設けられる。また、螺旋スライド溝４３内においても、その延びる方向における略中央位置及び先端位置にそれぞれ、凹陥部４５Ｃ、４５Ｄが設けられる。なお、凹陥部４５Ｂ、４５Ｄは、目当て環３６において同一の円周上に設けられる。直線溝４２は、開口４１Ａ側の端部から凹陥部４５Ａまで延びる導入溝４２Ａと、凹陥部４５Ａから他方の端部まで延びるスライド溝４２Ｂから成る。
【００３０】
各ガイド溝４１は、目当て環３６の周方向に等間隔に並べられるとともに、各ガイド溝４１は同一の構成を有する。また、突起４０も周方向に等間隔に並べられる。したがって突起４０は、開口４１Ａから導入溝４２Ａを介して直線スライド溝４２Ｂまたは螺旋スライド溝４３（以下、直線スライド溝４２Ｂ及び螺旋スライド溝４３を総称して「スライド溝４２Ｂ、４３」という）に導入され、各突起４０は円周方向の各スライド溝４２Ｂ、４３の同一位置に係合させられる。すなわち、１つの突起４０がスライド溝４２Ｂ、４３の所定の位置に係合させられるとき、他の２つの突起４０もスライド溝４２Ｂ、４３の所定の同一位置に係合させられる。また、１つの突起４０が凹陥部４５Ａに係合されるとき、他の２つの突起４０も凹陥部４５Ａに係合させられる。
【００３１】
直線スライド溝４２Ｂに導入された各突起４０は、直線スライド溝４２Ｂに沿って変位することにより、目当て環３６が第１の接眼レンズ鏡筒２５に対して相対的に、光軸Ｘ方向にスライド移動可能である。また、各突起４０が螺旋スライド溝４３に沿って変位することにより、目当て環３６は第１の接眼レンズ鏡筒２５に対して相対的に、第１の接眼レンズ鏡筒２５の回りを回転しつつ光軸Ｘ方向にスライド移動可能である。
【００３２】
図５は、突起４０とガイド溝４１を模式的に示す縦断面図である。なお、図５においては、凹陥部４５Ａより図中左側は、模式的に螺旋スライド溝４３及び直線スライド溝４２Ｂの縦断面図を重ねて表示する。図６は図５におけるＶ−Ｖ線上の横断面図を示す。なお、図５、６においては、ガイド溝４１を実線で示し、突起４０を一点破線で示す。また、点線、２点鎖線は仮想線を示す。
【００３３】
導入溝４２Ａは、開口４１Ａから光軸Ｘと平行に延びる平行溝４２Ｃと、その平行溝４２Ｃに接続され、内径側に傾きつつ光軸Ｘ方向に延びるテーパー溝４２Ｄから成る。平行溝４２Ｃの内周面の横断形状は、曲率半径Ｒ１の弧形状から成り、その弧の中心角は９０°以上１８０°以下である。平行溝４２Ｃの溝先端部の光軸Ｘからの光軸距離は、距離φ０である。また、後述する突起４０の先端部の光軸距離はφ１（＜φ０）である。なお、以下の説明において、光軸距離とは、特に断りがなければ、光軸Ｘからの距離をいう。
【００３４】
テーパー溝４２Ｄは、その内周面の横断面形状が曲率半径Ｒ１の弧形状から成り、その弧の中心角は１０°以上１８０°以下である。本実施形態のように、人間の手指で操作する場合は３０°以上４５°以下が望ましい。その溝先端部の光軸距離は凹陥部４５Ａに近づくにつれて小さくなり、凹陥部４５Ａとの接続部分直前では、その溝先端部の光軸距離は、距離φ４（φ４＜φ１）となる。
【００３５】
テーパー溝４２Ｄには、上述したように、対物側の光軸Ｘ方向に、直線スライド溝４２Ｂが接続されており、図４中右側には螺旋スライド溝４３が接続されている。直線スライド溝４２Ｂ及び螺旋スライド溝４３は、図６に示すように、その内周面の横断面が、曲率半径Ｒ１（すなわち導入溝４２Ａと同一の曲率半径）の弧形状から成り、その弧の中心角は９０°以上１８０°以下である。また、その溝先端部の光軸距離は、図５に示すように距離φ３（第３距離）であり、その距離φ３は、距離φ１より小さく、距離φ４より大きい。
【００３６】
凹陥部４５Ａは、スライド溝４２Ｂ、４３よりさらに窪んでおり、その内周面が曲率半径Ｒ２（Ｒ２＜Ｒ１）で、かつ中心角の弧度が１８０°より小さい凹状球面から成る。凹陥部４５Ａの先端部の光軸距離は、距離φ２であり、距離φ２（第２距離）は、距離φ４、φ３より大きく、距離φ１より小さい。
【００３７】
目当て環３６に設けられる突起４０は、その外周面が、中心角の弧度が１８０°より小さい凸状球面を呈し、その外周面の曲率半径Ｒ３は、曲率半径Ｒ１より小さく、曲率半径Ｒ２より大きい（Ｒ２＜Ｒ３＜Ｒ１）。また、その突起４０の先端部は光軸Ｘから光軸距離φ１離れている。なお、突起４０の曲率中心は、凹陥部４５Ａの曲率中心と同一であるとともに、スライド溝４２Ｂ、４３の曲率中心は突起４０の曲率中心よりも光軸Ｘに近い位置にある。
【００３８】
次に、図５〜７を用いて、本実施形態における作用を説明する。まず、目当て環３６が第１の接眼レンズ鏡筒２５に挿嵌されるときの作用について説明する。目当て環３６は、第１の接眼レンズ鏡筒２５に挿嵌されるとき、本実施形態においては、上述したように、突起４０が平行溝４２Ｃの開口４１Ａ側の端部から、直線スライド溝４２Ｂ内の凹陥部４５Ａまで導入される。ここで、導入溝４２Ａは、その曲率半径Ｒ１が突起４０の曲率半径Ｒ３より大きく、かつ平行溝４２Ｃの溝先端部の光軸距離φ０は、突起４０の先端部の光軸距離φ１よりも若干大きいので、突起４０は平行溝４２Ｃ内に抵抗無く導入される。次に、テーパー溝４２Ｄにおいては、その光軸距離が漸次小さくなり、したがって、突起４０はある程度の押圧力により押されることにより、第１の接眼レンズ鏡筒２５を内周側から径方向外側へ押し広げて弾性変形させながら、テーパー溝４２Ｄを通過して、凹陥部４５Ａまで移動させられ、これにより目当て環３６は、第１の接眼レンズ鏡筒２５に挿嵌される。テーパー溝４２Ｄの凹陥部４５Ａに近接する部分は、その溝先端部の光軸距離が凹陥部４５Ａの光軸距離より短いので、目当て環３６が第１の接眼レンズ鏡筒２５に挿嵌された後、突起４０が導入溝４２Ａから抜けるのを防止する。また、凹陥部４５Ａの先端部の光軸距離φ２は突起４０の先端部の光軸距離φ１よりも短いので、第１の接眼レンズ鏡筒２５による径方向の弾性力により突起４０は凹陥部４５Ａへ押圧された状態となっている。
【００３９】
次に、突起４０がスライド溝４２Ｂ、４３内を移動するときの動作について説明する。突起４０がスライド溝４２Ｂ、４３に係合するとき、突起４０は、その先端部Ｔがスライド溝４２Ｂ、４３の溝先端部Ｂ１に当接するが、突起４０のその他の外周面は、スライド溝４２Ｂ、４３には当接しない。すなわち、突起４０は、スライド溝４２Ｂ、４３に係合するとき、その先端部一点のみがスライド溝４２Ｂ、４３に接する。これは、突起４０の曲率半径Ｒ３がスライド溝４２Ｂ、４３の曲率半径Ｒ１より小さいからである。
【００４０】
一方、突起４０が凹陥部４５Ａに係合するとき、突起４０の先端部Ｔと、凹陥部４５Ａの先端部は接しないが、突起４０の外側周面Ｓ１が凹陥部４５Ａの内側周面Ｓ２に当接する。すなわち、突起４０が凹陥部４５Ａに係合するとき、その突起４０の外側周面Ｓ１が線接触により、スライド溝４２Ｂ、４３に接する。これは突起４０の曲率半径Ｒ３が凹陥部４５Ａの曲率半径Ｒ２より大きいからである。
【００４１】
このように、突起４０は、スライド溝４２Ｂ、４３に係合するとき、スライド溝４２Ｂ、４３に１点（突起４０の先端部）のみで接するので、大きな力を作用させなくても、スライド溝４２Ｂ、４３内を移動することができる。一方、突起４０が凹陥部４５Ａに係合するとき、凹陥部４５Ａの内側周面Ｓ２が、突起４０の外側周面Ｓ１に線接触することにより当接しているので、突起４０は凹陥部４５Ａに安定的に支持される。
【００４２】
また、突起４０は、その先端部の光軸距離φ１が、凹陥部４５Ａの先端部の光軸距離φ２及びスライド溝４２Ｂ、４３の溝先端部の光軸距離φ３より大きい。したがって、突起４０は、凹陥部４５Ａ及びスライド溝４２Ｂ、４３に係合するとき、一定の力で目当て環３６を径方向に押圧する。なお、突起４０の押圧力は、突起４０が凹陥部４５Ａに係合するときより、突起４０がスライド溝４２Ｂ、４３に係合するときの方が大きい。凹陥部４５Ａの先端部の光軸距離φ２が、スライド溝４２Ｂ、４３の溝先端部の光軸距離φ３より大きいからである。これにより使用者が目当て環３６を操作した際の適度な操作感を与えるとともに、目当て環３６の位置を感覚的に認識させている。
【００４３】
また、テーパー溝４２Ｄの溝内部の曲率半径Ｒ１は、突起４０の曲率半径Ｒ３より大きい。したがって、突起４０がテーパー溝４２Ｄに係合するときも、スライド溝４２Ｂ，４３に係合するときと同様に、突起４０はテーパー溝４２Ｄに１点（突起４０の先端部）のみで接するので、大きな力を作用させなくても、テーパー溝４２Ｄ内を移動することができる。
【００４４】
図７は、３つの突起４０がスライド溝４２Ｂ、４３の同一位置に係合させられるときの、第１の接眼レンズ鏡筒２５と目当て環３６の模式的な平面図である。図７を用いて、突起４０がスライド溝４２Ｂ、４３に係合するときの作用についてさらに詳細に説明する。
【００４５】
図７に示すように、各突起４０それぞれがスライド溝４２Ｂ、４３に係合し、目当て環３６に対して、径方向外側に押圧力Ｆ１を作用させると、目当て環３６は弾性変形し、その圧接された部分Ｐ１がそれぞれ径方向外側に膨らむように撓められる。目当て環３６の各部分Ｐ１が外側に撓められると、その各部分Ｐ１の間に位置する、目当て環３６の部分Ｐ２は、径方向内側に撓められる。各部分Ｐ２が内側に撓められると、それらの部分Ｐ２の内周面が、第１の接眼レンズ鏡筒２５の外周面に近接する。
【００４６】
一方、突起４０をスライド溝４２Ｂ、４３から離脱させようとすると（すなわち、ガイド溝４１が無い目当て環３６の内周面に移動させようとすると）、突起４０は、押圧力Ｆ１よりさらに大きな押圧力を目当て環３６に作用させようとする。突起４０の先端部が、さらに光軸距離の短い目当て環３６の部分に移動しようとするからである。この場合、目当て環３６に作用される大きな押圧力により、目当て環３６の部分Ｐ２はさらに径方向内側に撓められ、目当て環３６の部分Ｐ２の内周面が、第１の接眼レンズ鏡筒２５に接し、第１の接眼レンズ鏡筒２５が目当て環３６によって締め付けられる。
【００４７】
すなわち、突起４０がスライド溝４２Ｂ、４３から離脱しようとすると、第１の接眼レンズ鏡筒２５が目当て環３６により締め付けられ、突起４０が移動できなくなるため、突起４０はスライド溝４２Ｂ、４３から離脱するのが防止される。
【００４８】
各突起４０それぞれが、凹陥部４５Ａに係合しているときも、各突起４０は目当て環３６を押圧するので、同様の現象が起こる。ただし、突起４０が凹陥部４５Ａに係合するときは、突起４０が目当て環３６を押圧する押圧力は、スライド溝４２Ｂ、４３に係合しているときよりも小さくなるので、目当て環３６の撓み量も小さくなる。
【００４９】
したがって、突起４０が凹陥部４５Ａに係合するとき、突起４０がスライド溝４２Ｂ、４３に係合するときに比べ、目当て環３６の各部分Ｐ２から第１の接眼レンズ鏡筒２５への押圧力Ｆ２は、相対的に小さくなる。また、上述したように、突起４０は凹陥部４５Ａ内において、凹陥部４５Ａの内側周面Ｓ２によって安定的に支持される（図６参照）。すなわち、突起４０を凹陥部４５Ａからスライド溝４２Ｂ、４３に移動させようとすると、スライド溝４２Ｂ、４３内を移動させようとする場合に比べ、大きな力が必要となる。これにより、突起４０は凹陥部４５Ａによってクリック感が得られ、クリックストップさせられる。
【００５０】
同様に、突起４０がテーパー溝４２Ｄの一部（すなわち、凹陥部４５Ａに近接する部分であって光軸距離が距離φ１より小さい部分）に係合するときも、目当て環３６は突起４０により押圧され、目当て環３６の突起４０間の部分が径方向内側に撓むように変形し、その突起４０間の部分が、第１の接眼レンズ鏡筒２５に近接することにより、突起４０がテーパー溝から離脱するのを防止する（図７参照）。
【００５１】
以上のように、突起４０は、スライド溝４２Ｂ、４３、及びテーパー溝４２Ｄ内を、比較的小さな力の作用により、自由に移動することができるのに対して、突起４０をこれら溝４２Ｂ、４３、４２Ｄから離脱しようとすると、目当て環３６の締め付けにより、移動できなくなる。したがって、突起４０は、スライド溝４２Ｂ、４３及びテーパー溝４２Ｄ内をスムーズに移動することができるとともに、これら溝４２Ｂ、４３、４２Ｄからの離脱も有効に防止される。
【００５２】
すなわち、本実施形態においては、突起４０は、スライド溝４２Ｂ、４３に沿って確実に移動するので、目当て装置２０の位置を調整するときに、目当て環３６に不必要な大きな力が作用されても、突起４０が溝外部に乗り上げられることはない。したがって、本実施形態においては、目当て装置２０の移動を確実に行なうことができる。また、テーパー溝４２Ｄに沿って確実に移動することができるので、目当て環３６を第１の接眼レンズ鏡筒２５に確実に嵌挿することができる。
【００５３】
さらに突起４０は、光軸に平行に延びるスライド溝４２Ｂ及び、螺旋に延びるスライド溝４３のいずれにおいても、小さな力で自由に移動させられる。したがって、本実施形態の目当て環３６は、突起４０が周方向または光軸方向のいずれの方向に移動することによっても、光軸方向に移動することができる。
【００５４】
なお、以上の説明においては、凹陥部は凹陥部４５Ａの説明のみ行なったが、その他の凹陥部４５Ｂ、４５Ｃ、４５Ｄも同様の構成を有する。
【００５５】
なお特に限定されるわけではないが、例えば、平行溝の先端部の光軸距離φ０は１０．１ｍｍ、突起４０の先端部の光軸距離φ１は１０．０ｍｍ、その外周面の曲率半径Ｒ３は１．１ｍｍであり、スライド溝４２Ｂ、４３の先端部の光軸距離φ３は９．８ｍｍ、その内周面の曲率半径Ｒ１は１ｍｍであり、また凹陥部の先端部の光軸距離φ２は９．９ｍｍ、その内周面の曲率半径Ｒ２は０．９ｍｍである。
【００５６】
次に本発明の第２の実施形態を図８、９を用いて説明する。第２の実施形態は、本発明に係る遮光装置が撮影レンズのレンズ鏡筒先端部に設けられるレンズフードに適用されたときの例である。
【００５７】
本実施形態に係る遮光装置は、カメラの撮影レンズ先端部に取り付けられるレンズフードであって、撮影レンズを保持するためのレンズ鏡筒１２５と、レンズフードを備える遮光環１３６により構成される。レンズ鏡筒１２５と、遮光環１３６は、レンズ鏡筒１２５に保持される撮影レンズ（不図示）の光軸Ｘを中心に同心的に設けられ、遮光環１３６は、レンズ鏡筒１２５の外周面に嵌挿されて設けられる。レンズ鏡筒１２５及び遮光環１３６は例えば合成樹脂から形成され、遮光環１３６は弾性変形可能である。
【００５８】
レンズ鏡筒１２５は、鏡筒本体１２５ａと、鏡筒本体１２５ａの先端側に接続され、鏡筒本体１２５ａよりも径が小さい第１の鏡筒先端部１２５ｂと、第１の鏡筒先端部１２５ｂの先端側に接続され、第１の鏡筒先端部１２５ｂよりもさらに径が小さい第２の鏡筒先端部１２５ｃとを有する。遮光環１３６は、レンズ鏡筒１２５に取り付けられるための円環状の取付部１３６ａと、取付部１３６ａの先端側に接続されるレンズフード１３６ｂとを備える。レンズフード１３６ｂは、撮影レンズに入射される光の一部を遮光するための遮光部材である。
【００５９】
第２の鏡筒先端部１２５ｃの外周面には３つの突起１４０が設けられるとともに、取付部１３６ａの内周面には３つのガイド溝１４１が設けられ、各ガイド溝１４１内に各突起４０がそれぞれ係合され、これにより遮光環１３６がレンズ鏡筒１２５に取り付けられる。
【００６０】
ガイド溝１４１は撮影レンズの光軸Ｘに平行に延びるとともに、一方の端部が後方側の開口１４１Ａに接続される平行溝１４２と、その平行溝１４２の他方の端部に接続され、取付部１３６ａの周方向に延びる円周溝１４３とから成る。円周溝１４３の先端部にはその円周溝１４３からさらに凹む凹陥部１４５が設けられる。
【００６１】
なお、第１の実施形態と同様に各ガイド溝１４１は、同一の構成を有し、遮光環１３６の周方向に等間隔に並べられるとともに、突起１４０も周方向に等間隔に並べられるので、例えば１つの突起１４０が凹陥部１４５に係合させられるとき、他の２つの突起１４０も凹陥部１４５に係合させられている。
【００６２】
図１０は第２の実施形態のガイド溝の構成を示すための模式的な断面図である。なお、円周溝１４３は本来、取付部１３６ａの円周方向に延びるが、図１０においては模式的に光軸方向に延びるように示す。
【００６３】
図１０に示すように、突起１４０は第１の実施形態の突起４０と同様の構成を有し、その先端部から光軸Ｘまでの光軸距離はφ１であるとともに、その外周面が中心角の弧度が１８０°より小さい凸状球面を呈し、その外周面の曲率半径はＲ３である。
【００６４】
平行溝１４２は開口１４１Ａから光軸Ｘと平行に延びる溝であって、第１の実施形態の平行溝４２Ｃと同様の構成を有する。すなわち、溝先端部から光軸Ｘまでの光軸距離はφ０（＞φ１）であるとともに、その内周面の横断面形状は曲率半径Ｒ１の弧形状から成り、その弧の中心角は１０°以上１８０°以下、好ましくは３０°以上４５°以下である。
【００６５】
円周溝１４３はテーパー溝であって、第１の実施形態のテーパー溝４２Ｄと同様の構成を有する。すなわち、円周溝１４３の内周面の横断面形状が曲率半径Ｒ１の弧形状から成り、その弧の中心角は１０°以上１８０°以下、好ましくは３０°以上４５°以下である。そして、円周溝１４３の溝先端部の光軸距離は凹陥部１４５に近づくにつれて小さくなり、凹陥部１４５との接続部分直前では、その溝先端部の光軸距離は、距離φ４（φ４＜φ１）となる。
【００６６】
凹陥部１４５は第１の実施形態の各凹陥部と同様の構成を有し、その内周面が曲率半径Ｒ２（Ｒ２＜Ｒ１）で、かつ中心角の弧度が１８０°より小さい凹状球面から成る。凹陥部１４５の先端部の光軸距離φ２は、距離φ４より大きいとともに、距離φ０、φ１よりも小さい。なお、突起１４０の外周面の曲率半径Ｒ３は、曲率半径Ｒ１より小さく、曲率半径Ｒ２より大きい（Ｒ２＜Ｒ３＜Ｒ１）。
【００６７】
以上のような構成において、突起１４０は平行溝１４２、円周溝１４３を通って凹陥部１４５内に係合させられる。ここで、第１の実施形態と同様に、突起１４０は円周溝１４３を通る際に、その突起１４０は円周溝１４３に１点（突起１４０の先端部）のみで接するので、大きな力を作用させなくても、円周溝１４３内を移動することができる。一方、突起４０が凹陥部１４５に係合するとき、凹陥部１４５の内側周面が、線接触により突起１４０に当接するので、突起４０は凹陥部４５Ａに安定的に支持される。
【００６８】
また、第１の実施形態と同様に突起１４０が円周溝１４３に係合するとき、突起１４０は取付部１３６ａを、径方向外側に押圧し弾性変形させ、これにより取付部１３６ａは径方向内側に撓められる。取付部１３６ａは内側に撓められると、取付部１３６ａの内周面のガイド溝１４１の間の部分が、第２の鏡筒先端部１２５ｃの外周面に近接し、第１の実施形態と同様に突起１４０が円周溝１４３から離脱するのが防止される（図７参照）。
【００６９】
また、突起１４０が凹陥部１４５内に係合するときは、突起１４０から取付部１３６ａへの押圧力が弱められるとともに、上述したように突起１４０が線接触により凹陥部１４５の内周面に接触するので、第１の実施形態と同様に遮光環１３６がレンズ鏡筒１２５にクリックストップさせられる。
【００７０】
さらに、円周溝１４３の凹陥部１４５との接続部分直前の光軸距離φ４は凹陥部１４５の先端部の光軸距離φ２より小さいので、通常の使用状態において作用される力が遮光環１３６に作用されても、突起１４０が凹陥部１４５から円周溝１４３に移動することはない。
【００７１】
以上のように第２の実施形態においても、突起１４０が凹陥部１４５内に係合するとき、遮光環１３６はレンズ鏡筒１２５にクリックストップさせられるので、遮光環１３６をレンズ鏡筒１２５に安定的に取り付けることができる。また、突起１４０は円周溝１３６内においてスムーズに移動するとともに、円周溝１３６からの離脱が防止されるので、遮光環１３６をレンズ鏡筒１２５に確実に取り付けることができる。
【００７２】
なお、本実施形態では、第１の実施形態のようにスライド溝４２Ｂ、４３が設けられていないので、突起１４０が凹陥部１４５に係合し、遮光環１３６がレンズ鏡筒１２５に嵌挿させられた後においては、遮光環１３６はレンズ鏡筒１２５に対してスライド移動することができない。しかし、第２の実施形態においても、第１の実施形と同様にスライド溝が設けられ、遮光環１３６が嵌挿させられた後においても、スライド移動可能な構成にしても良い。この場合、例えば撮影レンズのレンズ倍率に合わせて、レンズフード１３６ｂの突出状態を調整することが可能になる。
【図面の簡単な説明】
【００７３】
【図１】本実施形態の目当て装置が適用される双眼鏡を前方側から見た斜視図である。
【図２】本実施形態の目当て装置が適用される双眼鏡を後方側から見た斜視図である。
【図３】接眼部の断面図である。
【図４】目当て装置の分解斜視図である。
【図５】突起とガイド溝を模式的に示す縦断面図である。
【図６】図５におけるＶ−Ｖ線上の横断面図である。
【図７】第１の接眼レンズ鏡筒が目当て環に挿嵌されたときの模式的な平面図である。
【図８】第２の実施形態に係る遮光装置の分解斜視図である。
【図９】第２の実施形態に係る遮光環の断面図である。
【図１０】第２の実施形態のガイド溝の構成を示すための模式的な断面図である。
【符号の説明】
【００７４】
２０  目当て装置（遮光装置）
２５  第１の接眼レンズ鏡筒（鏡筒）
３６  目当て環
４０、１４０  突起
４１、１４１  ガイド溝
４２  直線溝
４２Ａ  導入溝
４２Ｂ  直線スライド溝
４２Ｃ、１４２  平行溝
４２Ｄ  テーパー溝
４３  螺旋スライド溝
４５Ａ、４５Ｂ、４５Ｃ、４５Ｄ、１４５  凹陥部
１２５  レンズ鏡筒
１３６  遮光環
１４３  円周溝（テーパー溝）
φ１  第１距離
φ２  第２距離
φ３  第３距離
Ｒ１  ガイド溝の曲率半径
Ｒ２  凹陥部の曲率半径
Ｒ３  突起の曲率半径
【図１】
0004796864.tif 000002
【図２】
0004796864.tif 000003
【図３】
0004796864.tif 000004
【図４】
0004796864.tif 000005
【図５】
0004796864.tif 000006
【図６】
0004796864.tif 000007
【図７】
0004796864.tif 000008
【図８】
0004796864.tif 000009
【図９】
0004796864.tif 000010
【図１０】
0004796864.tif 000011